(57)【要約】  本発明の一面は陥没部を有するベース部と、陥没部に配置されて、ベース部の屈折率と異なる第１屈折率を有する第１部分及び陥没部に配置されて、第１部分の第１屈折率及びベース部の屈折率の中で少なくとも一つと異なる第２屈折率を有する第２部分を含むディスプレイフィルターを提供する。
2010524029.tif 000002
【特許請求の範囲】
【請求項１】
陥没部を有するベース部と、
前記陥没部に配置されて、前記ベース部の屈折率と異なる第１屈折率を有する第１部分と、
前記陥没部に配置されて、前記第１部分の前記第１屈折率及び前記ベース部の屈折率の中で少なくとも一つと異なる第２屈折率を有する第２部分と、
を含むディスプレイフィルター。
【請求項２】
前記陥没部で前記第１部分は前記第２部分と接するように配置される請求項１記載のディスプレイフィルター。
【請求項３】
前記第１屈折率は前記ベース部の屈折率より小さく、前記第２屈折率は前記ベース部の屈折率より大きい請求項１記載のディスプレイフィルター。
【請求項４】
前記第１屈折率は前記ベース部の屈折率のおおよそ０．８２倍以上おおよそ０．９９倍以下である請求項１記載のディスプレイフィルター。
【請求項５】
前記ベース部の屈折率は前記第２屈折率のおおよそ０．８２倍以上おおよそ０．９９倍以下である請求項１記載のディスプレイフィルター。
【請求項６】
前記第１部分の黒色度は前記第２部分の黒色度より低い請求項１記載のディスプレイフィルター。
【請求項７】
前記第１部分の幅は前記第２部分の幅より小さい請求項１記載のディスプレイフィルター。
【請求項８】
前記第１部分は第１高さを有し、
前記第２部分は第２高さを有し、
前記第２高さは前記第１高さより小さい請求項１記載のディスプレイフィルター。
【請求項９】
前記第２高さは前記第１高さの０．０５倍以上０．４５倍以下である請求項８記載のディスプレイフィルター。
【請求項１０】
前記第１部分は平坦な上部面、尖った上部面または曲がった上部面を有する請求項１記載のディスプレイフィルター。
【請求項１１】
前記第１部分及び前記第２部分の側面は傾いた直線または傾いた曲線を成すか、又は前記第１部分の側面は前記第２部分の側面と鈍角を形成する請求項１記載のディスプレイフィルター。
【請求項１２】
複数の前記第１部分及び前記第２部分は実質的にお互いに平行して前記ベース部の端と実質的に平行に延長されるか、複数の前記第１部分及び前記第２部分は実質的にお互いに平行して前記ベース部の端に対してななめに延長されるか、又は複数の前記第１部分及び前記第２部分はマトリックスまたは波形状を成す請求項１記載のディスプレイフィルター。
【請求項１３】
映像を表示するディスプレイパネルと、
前記ディスプレイパネルの前面に配置されるディスプレイフィルターを含み、
前記ディスプレイフィルターは、
実質的に透明であり、陥没部を有するベース部と、
前記陥没部に配置されて、前記ベース部の屈折率と異なる第１屈折率を有する第１部分と、
前記陥没部に配置されて、前記ディスプレイパネルを向けて、前記第１屈折率及びベース部の屈折率の中で少なくとも一つと異なる第２屈折率を有する第２部分と、
を含むディスプレイ装置。
【請求項１４】
前記陥没部で前記第１部分は前記第２部分と接するように配置される請求項１３記載のディスプレイ装置。
【請求項１５】
前記第１屈折率は前記ベース部の屈折率より小さく、前記第２屈折率は前記ベース部の屈折率より大きい請求項１３記載のディスプレイ装置。
【請求項１６】
前記第１屈折率は前記ベース部の屈折率のおおよそ０．８２倍以上おおよそ０．９９倍以下である 請求項１３記載のディスプレイ装置。
【請求項１７】
前記ベース部の屈折率は前記第２屈折率のおおよそ０．８２倍以上おおよそ０．９９倍以下である請求項１３記載のディスプレイ装置。
【請求項１８】
前記第１部分の黒色度は前記第２部分の黒色度より低い請求項１３記載のディスプレイ装置。
【請求項１９】
前記第１部分の幅は前記第２部分の幅より小さい請求項１３記載のディスプレイ装置。
【請求項２０】
前記第１部分は第１高さを有し、
前記第２部分は第２高さを有し、
前記第２高さは前記第１高さより小さい請求項１３記載のディスプレイ装置。
【請求項２１】
前記第２高さは前記第１高さの０．０５倍以上０．４５倍以下である請求項２０記載のディスプレイ装置。
【請求項２２】
陥没部を有するベース部と、
前記陥没部に配置されて、前記ベース部の屈折率と異なる第１屈折率を有する第１部分と、
前記陥没部に配置されて、前記第１部分の前記第１屈折率及び前記ベース部の屈折率の中で少なくとも一つと異なる第２屈折率を有する第２部分と、
を含み、
前記第１屈折率は前記ベース部の屈折率より小さく、前記第２屈折率は前記ベース部の屈折率より大きいディスプレイフィルター。
【請求項２３】
陥没部を有するベース部を形成する段階と、
前記陥没部に前記ベース部の屈折率と異なる第１屈折率を有する第１部分を形成する段階と、
前記陥没部に前記第１部分の前記第１屈折率及び前記ベース部の屈折率の中で少なくとも一つと異なる第２屈折率を有する第２部分を形成する段階と、
を含むディスプレイフィルターの製造方法。
【請求項２４】
前記第１部分を形成する段階は、
前記陥没部を有する前記ベース部に炭素粒子を含む第１樹脂を形成する段階と、
前記第１樹脂を有するベース部の表面を前記ベース部の前記陥没部に前記第１部分を形成するように切削する段階と、
を含む請求項２３記載のディスプレイフィルターの製造方法。
【請求項２５】
前記第２部分を形成する段階は、
前記第１部分を有する前記ベース部に炭素粒子を有する第２樹脂を形成する段階と、
前記第２樹脂を有するベース部の表面を前記ベース部の前記陥没部で前記第１部分に前記第２部分を形成するように切削する段階と、
を含む請求項２４記載のディスプレイフィルターの製造方法。
【発明の詳細な説明】
【技術分野】
【０００１】
本発明はディスプレイフィルター、ディスプレイ装置及びディスプレイフィルターの製造方法に関する。
【背景技術】
【０００２】
ディスプレイ装置は映像を表示するディスプレイパネル（Ｄｉｓｐｌａｙ Ｐａｎｅｌ）とディスプレイフィルターを含む。
【０００３】
ディスプレイパネルは画面に所定の映像を表示するもので、ディスプレイパネルには液晶表示パネル（Ｌｉｑｕｉｄ Ｃｒｙｓｔａｌ Ｄｉｓｐｌａｙ、ＬＣＤ）、電界放出表示パネル（Ｆｉｅｌｄ Ｅｍｉｓｓｉｏｎ Ｄｉｓｐｌａｙ、ＦＥＤ）、有機ＥＬ表示パネル（Ｏｒｇａｎｉｃ Ｌｉｇｈｔ Ｅｍｉｔｔｉｎｇ Ｄｉｓｐｌａｙ、ＯＬＥＤ）、プラズマディスプレイパネル（Ｐｌａｓｍａ Ｄｉｓｐｌａｙ Ｐａｎｅｌ、ＰＤＰ）などのような種類がある。
【０００４】
ディスプレイフィルターはディスプレイパネルの前面に配置されて、ディスプレイパネルから放出される電磁波を遮蔽する、又は近赤外線（Ｎｅａｒ Ｉｎｆｒａｒｅｄ Ｒａｙ、ＮＩＲ）を遮蔽することができる。
【図面の簡単な説明】
【０００５】
【図１】本発明の一実施形態に係るディスプレイ装置の一例に対して説明するための図である。
【図２】ディスプレイフィルターの遮光層に対してさらに詳しく説明するための図である。
【図３】ディスプレイフィルターの製造方法の一例を説明する図である。
【図４】ディスプレイフィルターの製造方法の一例を説明する図である。
【図５】第１部分と第２部分を含む暗色部の機能の一例に対して説明するための図である。
【図６】第２部分の機能の一例に対して説明するための図である。
【図７】第２部分の機能の一例に対して説明するための図である。
【図８】第２部分の機能の一例に対して説明するための図である。
【図９】第１部分と第２部分の他の形態に対して説明するための図である。
【図１０】第１部分と第２部分の他の形態に対して説明するための図である。
【図１１】第１部分と第２部分の他の形態に対して説明するための図である。
【図１２】第１部分と第２部分の他の形態に対して説明するための図である。
【図１３】第１部分と第２部分の他の形態に対して説明するための図である。
【図１４】第１部分と第２部分を含む暗色部の形成方向に対して説明するための図である。
【図１５】第１部分と第２部分を含む暗色部の形成方向に対して説明するための図である。
【図１６】暗色部の多様なタイプに対して説明するための図である。
【図１７】暗色部の多様なタイプに対して説明するための図である。
【発明を実施するための形態】
【０００６】
図１は本発明の一実施形態に係るディスプレイ装置の一例に対して説明するための図である。以下では、ディスプレイパネルに対してプラズマディスプレイパネル（Ｐｌａｓｍａ Ｄｉｓｐｌａｙ Ｐａｎｅｌ、ＰＤＰ)を一例で挙げて説明するが、本発明係るディスプレイパネルがプラズマディスプレイパネルに限定されるのではなく、液晶表示パネル（Ｌｉｑｕｉｄ Ｃｒｙｓｔａｌ Ｄｉｓｐｌａｙ、ＬＣＤ）、電界放出表示パネル（Ｆｉｅｌｄ Ｅｍｉｓｓｉｏｎ Ｄｉｓｐｌａｙ、ＦＥＤ）、有機ＥＬ表示パネル（Ｏｒｇａｎｉｃ Ｌｉｇｈｔ Ｅｍｉｔｔｉｎｇ Ｄｉｓｐｌａｙ、ＯＬＥＤ）である場合も可能である。
【０００７】
図１を注意深く見れば、本発明の一実施形態に係るディスプレイ装置は映像を表示するプラズマディスプレイパネル１００とディスプレイフィルター１１０を含む。
【０００８】
プラズマディスプレイパネル１００は画面に所定の映像を表示して、ディスプレイフィルター１１０はディスプレイパネル１００の前面に配置される。
【０００９】
プラズマディスプレイパネル１００はお互いに並んでいるスキャン電極（２０２、Ｙ）とサステイン電極（２０３、Ｚ）が配置される前面基板２０１と、 前面基板２０１に対向されるように配置されてスキャン電極２０２及びサステイン電極２０３と交差するアドレス電極２１３が配置される背面基板２１１が合着されて成ることができる。
【００１０】
スキャン電極２０２とサステイン電極２０３が配置された前面基板２０１の上部にはスキャン電極２０２とサステイン電極２０３を覆う上部誘電体層２０４が配置されることができる。
【００１１】
上部誘電体層２０４はスキャン電極２０２及びサステイン電極２０３の放電電流を制限してスキャン電極２０２とサステイン電極２０３の間を絶縁させることができる。
【００１２】
上部誘電体層２０４上部には放電条件を容易にするための保護層２０５が配置されることができる。このような保護層２０５は二次電子放出係数が高い材質、例えば酸化マグネシウム（ＭｇＯ）材質を含むことができる。
【００１３】
背面基板２１１には電極、例えばアドレス電極２１３が配置されて、アドレス電極２１３が配置された背面基板２１１にはアドレス電極２１３を覆ってアドレス電極２１３を絶縁させることができる誘電体層、例えば下部誘電体層２１５が配置されることができる。
【００１４】
前面基板２０１と背面基板２１１の間には放電空間すなわち、放電セルを区切るストライプタイプ（Ｓｔｒｉｐｅ Ｔｙｐｅ）、ウェルタイプ（Ｗｅｌｌ Ｔｙｐｅ）、デルタタイプ（Ｄｅｌｔａ Ｔｙｐｅ）、蜂の巣タイプなどの隔壁２１２が配置されることができる。
【００１５】
このような隔壁２１２によって前面基板２０１と背面基板２１１の間で赤色（Ｒｅｄ：Ｒ）、緑色（Ｇｒｅｅｎ：Ｇ）、青色（Ｂｌｕｅ ：Ｂ）放電セルなどが具備されることができる。例えば、閉鎖型（Ｃｌｏｓｅｄ Ｔｙｐｅ）隔壁構造では隔壁２１２のお互いに交差する第１及び第２隔壁（図示せず）を含むことができる。さらに、第１隔壁の高さと第２隔壁の高さがお互いに異なることができる。
【００１６】
隔壁２１２によって区画された放電セル内には所定の放電ガスが満たされる。共に、隔壁２１２によって区画された放電セル内にはアドレス放電時画像表示のための可視光を放出する蛍光体層２１４が配置されることができる。例えば、赤色（Ｒｅｄ：Ｒ）、緑色（Ｇｒｅｅｎ：Ｇ）、青色（Ｂｌｕｅ ：Ｂ) 蛍光体層が配置されることができる。
【００１７】
以上では本発明が適用されることができるプラズマディスプレイパネルの一例のみを図示して説明したことであって、本発明が以上で説明した構造のプラズマディスプレイパネルに限定されるのではないことを明らかにしておく。例えば、以上の説明では前面基板２０１の上面に接触するようにスキャン電極２０２とサステイン電極２０３を配置する場合だけで示しているが、これとは異なり、前面基板２０１とスキャン電極２０２及びサステイン電極２０３の間には少なくとも一つの機能性層、例えば他の誘電体層がさらに配置されることも可能である。
【００１８】
ディスプレイフィルター１１０は外部から入射される光を遮断する遮光層２２０を含むことができる。また、ディスプレイフィルター１１０はカラー層（Ｃｏｌｏｒ Ｌａｙｅｒ）２３０と電磁波遮蔽層２４０をさらに含むことも可能である。
【００１９】
遮光層２２０とカラー層２３０の間には第１接着層２５１が形成されて遮光層２２０とカラー層２３０を接着させることが望ましく、また、カラー層２３０と電磁波遮蔽層２４０の間には第２接着層２５２が形成されて、カラー層２３０と電磁波遮蔽層２４０を接着させることが望ましい。
【００２０】
参照符号２６０は基板（Ｓｕｂｓｔｒａｔｅ）であることがある。このような基板２６０は遮光層２２０、カラー層２３０、電磁波遮蔽層２４０が形成されることができる空間を設けることができる。このような基板２６０は高分子樹脂材質であることができる。
【００２１】
参照符号２５０は第３接着層として、ディスプレイフィルター１１０をプラズマディスプレイパネル１００に接着させるために配置されることができる。
【００２２】
また、本発明に係るディスプレイフィルターは近赤外線（Ｎｅａｒ Ｉｎｆｒａｒｅｄ Ｒａｙ）遮蔽層をさらに含むことも可能である。
【００２３】
以上で説明したディスプレイフィルターにおいて、遮光層２２０、カラー層２３０、電磁波遮蔽層２４０、基板２６０の位置は変更されることができる。例えば、基板２６０の上部に電磁波遮蔽層２４０が配置されて、電磁波遮蔽層２４０の上部にカラー層２３０が配置されて、カラー層２３０の上部に遮光層２２０が配置されることも可能なのである。
【００２４】
次に、図２はディスプレイフィルターの遮光層に対してさらに詳しく説明するための図である。
【００２５】
図２を注意深く見れば、本発明の一実施形態に係るディスプレイフィルターで遮光層はベース部（Ｂａｓｅ Ｐｏｒｔｉｏｎ、３００）、第１部分（Ｆｉｒｓｔ Ｐｏｒｔｉｏｎ、３１０）及び第２部分（Ｓｅｃｏｎｄ Ｐｏｒｔｉｏｎ、３２０）を含む。ここで、第２部分３２０の下部方向にディスプレイパネルが配置される。すなわち、第２部分３２０はディスプレイパネルに面するように配置されるのである。ここで、第１部分３１０と第２部分３２０を合わせて暗色部（Ｄａｒｋ Ｃｏｌｏｒ Ｐｏｒｔｉｏｎ、３３０）として参照されうる。
【００２６】
ベース部３００は所定深みに陥没させられた陥没部３４０が設けられる。
【００２７】
第１部分３１０はベース部３００の陥没部３４０に配置されて、屈折率がベース部３００の屈折率と異なる。このような第１部分３１０の屈折率を第１屈折率と言う。さらに、第１部分は平坦な上部面を有する。
【００２８】
第２部分３２０はベース部３００の陥没部３４０内に配置されて、屈折率が第１部分３１０及びベース部３２０のうち少なくとも一つと異なる。このような第２部分３２０の屈折率を第２屈折率と言う。
【００２９】
ここで、第１部分３１０の第１屈折率はベース部３００の屈折率より小さく、第２部分３２０の第２屈折率はベース部３００の屈折率より大きくなることができる。これとは反対に、第１部分３１０の第１屈折率はベース部３００の屈折率より大きく、第２部分３２０の第２屈折率はベース部３００の屈折率より小さいことも可能である。
【００３０】
第１部分３１０は陥没部３４０で第２部分３２０と接するように配置されることができる。例えば、第１部分３１０は陥没部３４０で第２部分３２０とベース部３００の間に配置されることができる。ベース部３００から陥没部３４０が形成された方向を上部方向であると仮定すれば、第２部分３２０は陥没部３４０内で第１部分３１０の上部に配置される。
【００３１】
ここで、第１部分３１０及び第２部分３２０の黒色度（Ｔｈｅ Ｄｅｇｒｅｅ Ｏｆ Ｂｌａｃｋｎｅｓｓ）はベース部３００の黒色度よりさらに大きくなることができる。すなわち、第１部分３１０及び第２部分３２０の色はベース部３００の色よりさらに暗いのである。
【００３２】
望ましくは、ベース部３００は実質的に透明であり、第１部分３１０及び第２部分３２０の色は実質的に黒い色であることができる。例えば、第１部分３１０及び第２部分３２０は炭素（Ｃａｒｂｏｎ）などの材質を含み、これによって、実質的に黒い色を有することができる。また、ベース部３００は光硬化性樹脂（ＵＶ Ｒｅｓｉｎ）材質からなることができる。
【００３３】
望ましくは、第１部分３１０の黒色度は第２部分の黒色度より小さいことがある。
【００３４】
また、第２部分３２０の高さ（ｈ２）は第１部分３１０の高さ（ｈ１）と異なることができる。例えば、第２部分３２０の高さ（ｈ２）を第２高さと言い、第１部分３１０の高さ（ｈ１）を第１高さと言うとすれば、第２高さ（ｈ２）は第１高さ（ｈ１）より小さいことがある。
【００３５】
ここで、第１部分３１０の高さ（ｈ１）及び第２部分３２０の高さ（ｈ２）のうち少なくとも一つは平均高さであることができる。または、第１部分３１０の高さ（ｈ１）または第２部分３２０の高さ（ｈ２）のうち少なくとも一つは最大高さであることができる。
【００３６】
第１部分３１０の下部幅をＡ、第２部分３２０の下部幅をＢとする時、第１部分３１０の高さ（ｈ１）はＡ／２地点での高さであることができ、または第２部分３２０の高さ（ｈ２）はＢ／２地点での高さであることができる。
【００３７】
また、第１部分３１０と第２部分３２０を含む暗色部３３０の断面の形状はくさび形（Ｖ字）形状であることが望ましい。例えば、暗色部３３０の第１部分３１０の最小幅をＷ１、最大幅をＷ２、第２部分３２０の最小幅をＷ２、最大幅をＷ３として表現されうる。ここで、Ｗ１＜Ｗ２＜Ｗ３である関係が成ることができる。
【００３８】
したがって、第１部分３１０の幅は第２部分３２０の平均幅より小さいとか同じであることがある。これにより暗色部３３０はベース部３００の方向に進行するほど幅が漸進的に減少する形状を有することができる。
【００３９】
そして、暗色部３３０の側面とベース部３００の底面は所定の角度θ１を成すことができる。このような角度θ１は外部から入射される光を吸収して、内部から発生した光を放出するためにおおよそ７０度以上９０度未満に設定されることができる。
【００４０】
図３乃至図４はディスプレイフィルターの製造方法の一例を説明する図である。本発明がここの図３乃至図４に記載した製造方法に限定されるのではない。
【００４１】
図３を注意深く見れば、ベース部４００を設けて、ベース層４００の上部に所定パターンを有するモールド（Ｍｏｌｄ、４１０）を配置する。そしてモールド４１０に圧力をかけてベース部４００の上部にモールド４１０のパターンが形成されるようにする（ａ段階）。
【００４２】
そして、ベース部４００に所定の深みに陥没させられた陥没部４２０が形成される（ｂ段階）。
【００４３】
以後、陥没部４２０が形成されたベース部４００の上部に流動性を有する第１材料４３０を塗布する(c段階)。そして、第１材料４３０がベース部４００の陥没部４２０に満たされることができる。第１材料４３０は炭素粒子を含む第１樹脂と言える。
【００４４】
以後、ベース部４００の表面で第１樹脂４３０が除去される。例えば、第１樹脂４３０を有するベース部４００の表面はベース部４００の陥没部４２０に第１部分４４０を形成するように切削する(scrape)ことができる。これによってベース部４００に複数の第１部分４４０が形成されることができる（ｄ段階）。すなわち、ベース部４００には所定深みに陥没した陥没部４２０が設けられて、第１部分４４０はそれぞれベース部４００の陥没部４２０に形成されるのである。
【００４５】
図４を注意深く見れば、第１部分４４０を陥没部４２０に形成した後に、第１部分４４０が形成されたベース部４００の上部に流動性を有する第２材料４５０を塗布する（ｅ段階）。そして、第２材料４５０がそれぞれのベース部４００の陥没部４２０で第１部分４４０の上部に満たされることができる。第２材料４５０は炭素粒子を含む第２樹脂と言える。
【００４６】
以後、ベース部４００の表面で第２材料４５０が除去される。例えば、第２樹脂４５０を有するベース部４００の表面はベース部４００の陥没部４２０で第１部分４４０に第２部分４６０を形成するように切削することができる。
【００４７】
これによってベース部４００の陥没部４２０で第１部分４４０の上部に第２部分４６０が形成されることができる。すなわち、ベース部４００には所定深みに陥没した陥没部４２０が設けられて、第１部分４４０はベース部４００の陥没部４２０内に形成されて、第２部分４６０は陥没部４２０内で第１部分４４０と接するように形成される。
【００４８】
ここで、図３の（ｃ）段階及び図３の（ｅ）段階では同一な装備を使ってベース部４００表面で第１、２材料４３０、４６０を除去することが可能であり、またはお互いに異なる装備を使うことも可能である。
【００４９】
図５は第１部分と第２部分を含む暗色部の機能の一例に対して説明するための図である。
【００５０】
図５を注意深く見れば、Ｃのような経路に進行する光は直接ディスプレイフィルター外側に放出されて、Ｄ、Ｅのような経路に進行する光は暗色部３３０の第１部分３１０によって全反射されて外側に放出されることができる。このような現象は、暗色部３１０の第１部分３１０の屈折率がベース部３００の屈折率よりさらに小さく、さらに暗色部３１０の第１部分３１０の側面とベース部３００の底面が所定の角度θ１を成すために発生する。ここで、Ｃ、Ｄ、Ｅのような経路に進行する光は映像が表示される側、すなわちディスプレイパネルが配置された側から発生した光であることがある。
【００５１】
一方、Ｆ、Ｇのような経路に進行する光は暗色部３３０の第１部分３１０または第２部分３２０のうち少なくとも一つに吸収されることができる。これは第１部分３１０と第２部分３２０の黒色度がベース部３００の黒色度よりさらに高いからである。ここで、Ｆ、Ｇのような経路に進行する光は観察者側から入射される光であることがある。
【００５２】
このように、ディスプレイフィルターの内側から発生した光は外側に効果的に放出されて、一方にディスプレイフィルターの外側から入射される光は吸収されることでディスプレイパネルの画面上に具現される映像のコントラスト（Ｃｏｎｔｒａｓｔ）特性が向上する。
【００５３】
ここで、ディスプレイフィルターの外側から入射される光をさらに効果的に吸収して、さらにディスプレイフィルターの内側から発生した光をさらに効果的に放出させるために第１部分３１０の第１屈折率はベース部３００の屈折率の０．８２倍以上０．９９倍以下に設定されうる。
【００５４】
また、ベース部３００の高さｔ３は暗色部３１０の高さｔ２の１．０１倍以上２．２５倍以下に設定されうる。
【００５５】
このように設定すれば製造工程上の歩留まり向上及びディスプレイフィルターの堅固性を充分に確保することができ、さらにディスプレイフィルターの外側から入射される光を充分に遮断させて、ディスプレイフィルターの内側から放出される光の透過性を充分に確保することができる。
【００５６】
また、暗色部３３０の下部の間の間隔ｔ４は暗色部３３０の下部幅ｔ１の１．１倍以上５倍以下に設定されうる。このように設定すれば、ディスプレイフィルターの開口率を充分に確保することができ、さらにディスプレイフィルターの外側から入射される光を充分に遮断させることができ、暗色部３３０の製造工程が容易にできる。
【００５７】
また、暗色部３３０の上部の間の間隔ｔ５は暗色部３３０の下部の間の間隔ｔ４の１．１1倍以上３．２５倍以下に設定されうる。このように設定すれば、ディスプレイフィルターの開口率を充分に確保することができ、さらに暗色部３３０の角度θ１を最適化させることができてディスプレイフィルターの外側から入射される光を充分に遮断させることができる。
【００５８】
また、暗色部３３０の高さｔ２は暗色部３３０の下部の間の間隔ｔ４の０．８９倍以上４．２５倍以下に設定されうる。このように設定すれば、ディスプレイフィルターの開口率を充分に確保することができ、さらにディスプレイフィルターの外側から入射される光を充分に遮断することができる。
【００５９】
例えば、暗色部３３０の下部幅ｔ１は１８μｍ（マイクロメートルマイクロメートル)以上３５μｍ(マイクロメートル)以下に設定されうる。
【００６０】
または、暗色部３３０の高さｔ２は８０μｍ(マイクロメートル)以上１７０μｍ(マイクロメートル)以下に設定されうる。
【００６１】
または、ベース部３００の高さｔ３は１００μｍ(マイクロメートル)以上１８０μｍ(マイクロメートル)以下に設定されうる。
【００６２】
または、暗色部３３０の下部間の間隔ｔ４は４０μｍ(マイクロメートル)以上９０μｍ(マイクロメートル)以下に設定されうる。
【００６３】
または、暗色部３３０の上部間の間隔ｔ５は９０μｍ（マイクロメートル)以上１３０μｍ(マイクロメートル)以下に設定されうる。
【００６４】
図６乃至図８は第２部分の機能の一例に対して説明するための図である。
【００６５】
図６を注意深く見ればＡ地点で発生した光が(2)の経路を有する場合、(2)の経路に進行する光はベース部６００に設けられた第１部分６１０によって反射して外部に放出される。一方、(1)の経路を有する光は第２部分６２０によって大部分吸収される。すなわち、ディスプレイフィルター下部方向から放出される光は第１部分６１０によっては反射するが、第２部分６２０によっては吸収されるのである。
【００６６】
このような場合には、第１部分６１０の第１屈折率はベース部６００の屈折率より小さく、第２部分６２０の第２屈折率はベース部６００の屈折率より大きいことが望ましいことがある。ここで、光吸収経路を太い点線で表示して、光反射経路を細い点線で表示している。
【００６７】
ここで、第１部分６１０での光反射効率を向上させるために第１部分６１０の第１屈折率はベース部６００の屈折率の０．８２倍以上０．９９倍以下であるのが望ましい場合がある。
【００６８】
また、第２部分６２０での光吸収効率を向上させるためにベース部６００の屈折率は第２部分６２０の第２屈折率の０．８２倍以上０．９９倍以下であるのが望ましい場合がある。
【００６９】
次に、図７にはディスプレイフィルターが第２部分を含まない場合を示す。
【００７０】
このような場合に、Ｂ地点から発生して(3)または(4)の経路に進行する光は光の発生地点Ｂの近所に配置された暗色部６４０に反射して外部に放出される。
【００７１】
一方、(5)または(6)のような経路に進行する光は光の発生地点Ｂとの距離が相対的に遠い暗色部６４０によって反射して外部に放出される。このような(5)又は(6)のような経路を有する光は画面上に表示される映像の正確な位置を混同するようにする視覚的効果を誘発する。これをゴースト効果と言う。このようなゴースト効果は映像の画質を悪化させる。
【００７２】
一方、図８を注意深く見れば(5)または(6)の経路に進行する光はこれ以上反射しないで、第２部分６２０によって吸収される。これによって図７で説明したゴースト現象の発生が防止される。
【００７３】
図８で、光吸収経路を太い点線で表示して、光反射経路を細い点線で表示している。
【００７４】
以上の図６乃至図８の内容を考慮する時、ベース部６００に形成された陥没部内に第１部分６１０第２部分６２０を隣接するように形成すれば、ゴースト現象を抑制させて映像の画質を改善することができることが分かる。
【００７５】
下の表１を参照して第１部分と第２部分の高さの関係に対して説明すれば次のようである。
【表１】
2010524029.tif 000003
【００７６】
表１で、Ｘ表示はゴースト現象が発生する、又は具現される映像の輝度が弱くて不良であることを示し、○表示は良好であることを示し、◎表示は非常に良好であることを示す。
【００７７】
表１での実験条件は次のようである。
【００７８】
第１部分と第２部分を含む暗色部の高さｔ２はおおよそ１０４μｍで固定して、この時第１部分と第２部分の高さの割合を変更しながらディスプレイパネルの画面に具現される映像にゴースト（Ｇｈｏｓｔ）現象が発生するかどうかの可否を観察して、具現される映像の輝度を測定する。ここで、第１部分の高さ（ｈ１）を第１高さと言い、第２部分の高さ（ｈ２）を第２高さと言う。
【００７９】
表１を注意深く見れば、第２部分の第２高さ（ｈ２）が第１部分の第１高さ（ｈ１）の０．０４倍の場合には第２部分の第２高さ（ｈ２）が第１部分の第１高さ（ｈ１）に比べて過度に低く、前の図７のようなゴースト現象の防止効果が僅かであり、これによってゴースト現象が画面上で頻繁に見えて不良（Ｘ）となる。
【００８０】
一方、第２高さ（ｈ２）が第１高さ（ｈ１）の０．０５倍以上 ０．１１倍以下の場合には、第２高さ（ｈ２）が適切であり、ゴースト現象を防止することができる。このような場合には僅かなゴースト現象が発生することがあるが、この時発生するゴースト現象は映像の画質を低下させる位の程度ではなく、良好(○)な状態となる。
【００８１】
また、第２高さ（ｈ２）が第１高さ（ｈ１）の０．１３倍以上の場合には第２高さ（ｈ２）がゴースト現象の観点で最適化され、ゴースト現象を充分に防止することができ、これによって非常に良好（◎）な状態となる。
【００８２】
一方、具現される映像の輝度の側面で考慮すれば、第２高さ（ｈ２）が第１高さ（ｈ１）の０．０４倍以上０．３４倍以下の場合には第２高さ（ｈ２）が充分に低く、内部から外部に放出される光が第２部分によって吸収されることを最小化させることができる。これによって、具現される映像の輝度は非常に良好(◎)な状態となる。
【００８３】
また、第２高さ（ｈ２）が第１高さ（ｈ１）の０．３５倍以上０．４５倍以下の場合には第２高さ（ｈ２）が適切である。これによって、具現される映像の輝度は良好(○)な状態となる。
【００８４】
一方、第２高さ（ｈ２）が第１高さ（ｈ１）の０．４６倍以上の場合には第２高さ（ｈ２）が過度に高く、内部から外部に放出される光が第２部分によって大部分吸収される、これによって、具現される映像の輝度は不良（Ｘ）な状態となる。
【００８５】
以上の表１の内容を考慮する時、第２高さ（ｈ２）は第１高さ（ｈ１）の ０．０５倍以上０．４５倍以下であるのが望ましく、さらに望ましくは０．１３倍以上０．３４倍以下である。
【００８６】
図９乃至図１３は第１部分と第２部分の他の形態に対して説明するための図である。
【００８７】
図９を注意深く見れば第２部分８２０の幅はＨ地点まで相対的に緩やかに減少して第１部分８１０の幅はＩ地点まで相対的に急激に減少する。これによって、第１部分８１０の側面と第２部分８２０の側面は鈍角を成すことができる。
【００８８】
図１０を注意深く見れば第２部分８２０はＪ地点まで相対的に急激に幅が減少して、一方に第１部分８１０はＫ地点まで相対的に緩やかにその幅が減少する。
【００８９】
図１１を注意深く見れば第１部分８１０はその端が尖った三角形状である。これによって、第１部分８１０は尖った上部面を有することが可能であり、第１部分８１０の側面と第２部分８２０の側面は傾いた直線形態を有することが可能である。
【００９０】
図１２を注意深く見れば第１部分８１０の側面と第２部分８２０の側面は緩やかな曲線を成す。これによって、第１部分８１０の側面と第２部分８２０の側面は傾いた曲線形態を有することが可能である。
【００９１】
図１３を注意深く見れば第１部分８１０は曲がった上部面を有することができる。
【００９２】
第１部分８１０と第２部分８２０の形状は図９乃至図１３に記載した形状に制限されず、図９乃至図１３に記載した形状以外にも外部から入射される光を遮断して、ディスプレイパネルから発生した光を外部に放出するようにするいずれの形状も可能である。ただ、外部光の遮断効率及び内部光の放出効率のために暗色部９１０の断面の形状はくさび形（Ｖ字）であることが望ましいことがある。
【００９３】
以上のように第１部分と第２部分の形態は多様に変更されうる。
【００９４】
次、図１４乃至図１５は第１部分と第２部分を含む暗色部の形成方向に対して説明するための図である。ここで、図１４乃至図１５では第１部分と第２部分を区分して示さないで、一つの暗色部を図示して説明する。
【００９５】
図１４を注意深く見れば暗色部９００の形成方向とベース部９１０の長辺は実質的に並んでいることがある。
【００９６】
図１５を注意深く見れば暗色部９００の形成方向はベース部９１０の長辺と所定角度θ２を成すことができる。
【００９７】
このように、暗色部９００の形成方向とベース部９１０の長辺が所定角度θ２を成すようになれば二つ以上の周期的なパターン（Ｐｅｒｉｏｄｉｃ Ｐａｔｔｅｒｎ）が重なる時作られる干渉縞（Ｉｎｔｅｒｆｅｒｅｎｃｅ Ｆｒｉｎｇｅ）、すなわちモアレ縞（Ｍｏｉｒｅ Ｆｒｉｎｇｅ）を遮断することができる。
【００９８】
さらに、このようなモアレ縞をさらに効果的に遮断するために暗色部９００の進行方向とベース部９１０の長辺が成す所定角度θ２はおおよそ５度以上８０度以下に設定されうる。
【００９９】
以上ではストライプタイプ（Ｓｔｒｉｐｅ Ｔｙｐｅ）の暗色部に対してだけ図示して説明したが、このような暗色部のタイプは多様に変更されることができる。
【０１００】
図１６乃至図１７は暗色部の多様なタイプ（Ｔｙｐｅ）に対して説明するための図である。ここ 図１６乃至図１７では第１部分と第２部分を区分して示さないで、一つの暗色部を図示して説明する。
【０１０１】
図１６を注意深く見れば暗色部１０００はマトリックスタイプ（Ｍａｔｒｉｘ Ｔｙｐｅ）に形成されることができる。
【０１０２】
次に、図１７を注意深く見れば暗色部１０２０は波タイプに形成されることができる。
【０１０３】
以上のように、暗色部のタイプは多様に変更されることができる。
【図１】
2010524029.tif 000004
【図２】
2010524029.tif 000005
【図３】
2010524029.tif 000006
【図４】
2010524029.tif 000007
【図５】
2010524029.tif 000008
【図６】
2010524029.tif 000009
【図７】
2010524029.tif 000010
【図８】
2010524029.tif 000011
【図９】
2010524029.tif 000012
【図１０】
2010524029.tif 000013
【図１１】
2010524029.tif 000014
【図１２】
2010524029.tif 000015
【図１３】
2010524029.tif 000016
【図１４】
2010524029.tif 000017
【図１５】
2010524029.tif 000018
【図１６】
2010524029.tif 000019
【図１７】
2010524029.tif 000020
【国際調査報告】
2010524029.tif 000021
2010524029.tif 000022